(57)【要約】【課題】シートの上の雨水を排水する。【解決手段】養生シート１０は、通し孔２１が形成されたシート本体２０と、通し孔２１に挿入され、両端が開口した筒状のスリーブ３１と、シート本体２０の表側においてスリーブ３１の周面から周方向外方に突出したフランジ３２と、シート本体２０の裏側においてスリーブ３１の周面にネジ締めされるナット３４と、を備え、ナット３４とフランジ３２との間にシート本体２０が挟持される。【選択図】図２
2016061081.tif 000002
【特許請求の範囲】
【請求項１】
通し孔が形成されたシート本体と、
前記通し孔に挿入され、両端が開口した筒状のスリーブと、
前記シート本体の表側において前記スリーブの周面から周方向外方に突出したフランジと、
前記シート本体の裏側において前記スリーブの周面にネジ締めされるナットと、を備え、
前記ナットと前記フランジとの間に前記シート本体が挟持される
ことを特徴とする養生シート。
【請求項２】
請求項１に記載の養生シートであって、
前記スリーブの周囲に設けられ、前記ナットと前記フランジとの間に前記シート本体とともに挟持されるシールを更に備える
ことを特徴とする養生シート。
【請求項３】
請求項１又は２に記載の養生シートであって、
前記シート本体の裏側において前記スリーブの周面に取り付けられ、前記シート本体の裏側に接し、前記フランジの直径よりも長い直径の支持部材を更に備える
ことを特徴とする養生シート。
【請求項４】
請求項１から３の何れか一項に記載の養生シートであって、
前記フランジが前記シート本体の表側の前記スリーブの端部の周面から周方向外方に突出する
ことを特徴とする養生シート。
【請求項５】
請求項１から４の何れか一項に記載の養生シートの使用方法であって、
建物の屋根の周縁部に立設された立壁部及び前記屋根の上から前記シート本体を被せて、前記シート本体を前記立壁部及び前記屋根の表面に沿わせ、前記立壁部の下端近傍且つ前記立壁部の内側において前記屋根の上面に設けられた排水管に前記スリーブを接続する
ことを特徴とする養生シートの使用方法。
【請求項６】
シートに形成された通し孔に取り付け可能なドレイン装置であって、
両端が開口した筒状のスリーブと、
前記スリーブの周面から周方向外方に突出したフランジと、
前記スリーブの周面にネジ締めされて、前記フランジに押し付けられるナットと、を備える
ことを特徴とするドレイン装置。
【発明の詳細な説明】
【技術分野】
【０００１】
本発明は、養生シート及びドレイン装置並びに養生シートの使用方法に関し、特に養生シートの上に水が溜まらないようにする技術に関する。
【背景技術】
【０００２】
従来、建設中の建物を防水すべく、その建物の屋根全体に養生シートを被せることによってその屋根を養生する（特許文献１参照）。特に、屋根が陸屋根であれば、陸屋根の周縁部にパラペットが立てた状態に設けられているため（特許文献１参照）、養生シートの上に雨水が溜まりやすい。特許文献１に記載の技術は、バルーンによって養生シートの中央部を上方に突出させることによって、養生シートを傾斜させることによって雨水を重力によって流し出すものである。
【先行技術文献】
【特許文献】
【０００３】
【特許文献１】特開２００９−１２１０２４号公報
【発明の概要】
【発明が解決しようとする課題】
【０００４】
ところが、特許文献１に記載の技術でも、養生シートが張られたものであるため、養生シートが自重又は雨水の重さ等によって撓むこともある。そうすると、養生シートの上に雨水が溜まってしまう。
そこで、本発明が解決しようとする課題は、シートの上の雨水を排水することである。
【課題を解決するための手段】
【０００５】
上記課題を解決するための請求項１に係る発明は、例えば図１〜図３に示すように、通し孔２１が形成されたシート本体２０と、前記通し孔２１に挿入され、両端が開口した筒状のスリーブ３１と、前記シート本体２０の表側において前記スリーブ３１の周面から周方向外方に突出したフランジ３２と、前記シート本体２０の裏側において前記スリーブ３１の周面にネジ締めされるナット３４と、を備え、前記ナット３４と前記フランジ３２との間に前記シート本体２０が挟持されることを特徴とする養生シート１０である。
【０００６】
請求項１に係る発明によれば、シート本体２０の上の雨水等はスリーブ３１を通って排水されるので、シート本体２０の上に雨水等が溜まることを防止することができる。
通し孔２１の周囲のシート本体２０がナット３４とフランジ３２との間に挟まれているため、スリーブ３１の周面と通し孔２１の縁との間の隙間を止水することができるとともに、亀裂等が通し孔２１の縁からシート本体２０に生じることを防止することができる。
シート本体２０にスリーブ３１を簡単に取り付けることができる。つまり、シート本体２０の通し孔２１にスリーブ３１を差し込んで、ナット３４をスリーブ３１の周面にネジ締めして、ナット３４とフランジ３２の間にシート本体２０を挟み込むだけで、シート本体２０にスリーブ３１を取り付けることができる。スリーブ３１の周面と通し孔２１の縁との間の隙間の止水も確実に行える。
【０００７】
請求項２に係る発明は、請求項１に記載の養生シート１０であって、前記スリーブ３１の周囲に設けられ、前記ナット３４と前記フランジ３２との間に前記シート本体２０とともに挟持されるシール３３を更に備えることを特徴とする養生シート１０である。
【０００８】
請求項２に係る発明によれば、シール３３によって止水性が向上する。
【０００９】
請求項３に係る発明は、請求項１又は２に記載の養生シート１０であって、前記シート本体２０の裏側において前記スリーブ３１の周面に取り付けられ、前記シート本体２０の裏側に接し、前記フランジ３２の直径よりも長い直径の支持部材３６を更に備えることを特徴とする養生シート１０である。
【００１０】
請求項３に係る発明によれば、支持部材３６によってシート本体２０が支えられるため、シート本体２０が撓むことがなく、シート本体２０の表側のスリーブ３１の開口の周囲に雨水等が溜まることを防止することができる。
【００１１】
請求項４に係る発明は、請求項１から３の何れか一項に記載の養生シート１０であって、前記フランジ３２が前記シート本体２０の表側の前記スリーブ３１の端部の周面から周方向外方に突出することを特徴とする養生シート１０である。
【００１２】
請求項４に係る発明によれば、フランジ３２がシート本体２０の表側の前記スリーブ３１の端部の周面から延出しているため、スリーブ３１の端部がシート本体２０の表側から殆ど突き出ていない。そのため、雨水等が堰き止められることなく、スリーブ３１の開口に流れ込みやすい。シート本体２０の表側のスリーブ３１の開口の周囲に雨水等が溜まることを防止することができる。
【００１３】
請求項５に係る発明は、請求項１から４の何れか一項に記載の養生シート１０の使用方法であって、建物１の屋根２の周縁部に立設された立壁部３及び前記屋根２の上から前記シート本体２０を被せて、前記シート本体２０を前記立壁部３及び前記屋根２の表面に沿わせ、前記立壁部３の下端近傍且つ前記立壁部３の内側において前記屋根２の上面に設けられた排水管に前記スリーブ３１を接続することを特徴とする養生シート１０の使用方法である。
【００１４】
請求項５に係る発明によれば、屋根２の周縁部に立壁部３が設けられているために雨水等が屋根２の上のシート本体２０に溜まりやすくても、シート本体２０が立壁部３及び屋根２の表面に沿っているので、シート本体２０の上の雨水等がスリーブ３１及び排水管の方へ流れやすい。よって、シート本体２０の上の雨水等を効率よく排水することができる。
【００１５】
請求項６に係る発明は、シートに形成された通し孔２１に取り付け可能なドレイン装置３０であって、両端が開口した筒状のスリーブ３１と、前記スリーブ３１の周面から周方向外方に突出したフランジ３２と、前記スリーブ３１の周面にネジ締めされて、前記フランジ３２に押し付けられるナット３４と、を備えることを特徴とするドレイン装置３０である。
【００１６】
請求項６に係る発明によれば、シート２０の通し孔２１にスリーブ３１を差し込んで、ナット３４をスリーブ３１の周面にネジ締めして、ナット３４とフランジ３２の間にシートを挟み込むだけで、シート２０にスリーブ３１を取り付けることができる。スリーブ３１の周面と通し孔２１の縁との間の隙間の止水も確実に行える。
【発明の効果】
【００１７】
本発明によれば、シート本体の上に雨水等が溜まることを防止することができる。亀裂等が通し孔の縁からシート本体に生じることを防止することができる。更に、シート本体にスリーブを簡単に取り付けることができる。
【図面の簡単な説明】
【００１８】
【図１】建物の屋根の周縁部を示した断面図である。
【図２】養生シートの断面図である。
【図３】養生シートの分解斜視図である。
【図４】建物の上面図である。
【図５】変形例に係る養生シートの側面図である。
【発明を実施するための形態】
【００１９】
以下に、本発明を実施するための形態について図面を用いて説明する。但し、以下に述べる実施形態には、本発明を実施するために技術的に好ましい種々の限定が付されている。そのため、本発明の技術的範囲を以下の実施形態及び図示例に限定するものではない。
【００２０】
図１は、建設中の建物１の屋根２の周縁部を示した断面図である。この建物１の屋根２は勾配の小さい屋根であるか、勾配の無い陸屋根である。屋根２の周縁にパラペット（立壁部）３が立てられた状態に設けられ、そのパラペット３によって屋根２が囲まれている。パラペット３が外壁４の上に続き、屋根２の上面がパラペット３の上端よりも低い位置にある。
【００２１】
屋根２やパラペット３等の水濡れを防止するべく、ドレイン付き養生シート１０が用いられる。ドレイン付き養生シート１０はシート本体２０及び一又は複数のドレイン装置３０を備える。
【００２２】
シート本体２０はポリエチレンなどの合成樹脂製のシートである。このシート本体２０は防水性、遮水性及び可撓性を有する。
【００２３】
このシート本体２０には、取り外し可能且つ取り付け可能なドレイン装置３０が取り付けられている。ドレイン装置３０について図２及び図３を参照して説明する。図２は、ドレイン装置３０が取り付けられる部位におけるドレイン付き養生シート１０の断面図であり、図３は、ドレイン装置３０が取り付けられる部位におけるドレイン付き養生シート１０の分解斜視図である。
【００２４】
ドレイン装置３０はスリーブ３１、フランジ３２、シール３３、締結ナット３４及び排管３５を有する。
【００２５】
スリーブ３１が中空３１ａを有し、その中空３１ａがスリーブ３１の上端と下端において開口することによって、スリーブ３１が筒状に設けられている。スリーブ３１が回転対称体であり、スリーブ３１の上部３１ｂがカップ状（逆ドーム状）に形作られ、スリーブ３１の下部３１ｃが円筒状に形作られている。つまり、中空３１ａのうち上部の直径が下部の直径よりも長く、中空３１ａのうち上部の直径が他端に向かって漸減し、下部の直径が一様である。
【００２６】
スリーブ３１の下部３１ｃが排管３５の上部にねじ込み式によって連結されている。つまり、スリーブ３１の下部３１ｃの周面には雄ネジ３１ｄが形成され、排管３５がスリーブ３１の下部３１ｃに差し込まれて、雄ネジ３１ｄが排管３５の内面の雌ネジ３５ａにネジ締めされている。
中空３１ａの下部にはゴミ受け３１ｆが設けられている。このゴミ受け３１ｆは棒状に設けられているとともに、中空３１ａの下側の開口の縁部から反対側の縁部まで架け渡されている。
【００２７】
スリーブ３１の周面の上端にリング状のフランジ３２が設けられ、そのフランジ３２がスリーブ３１の周面から径方向外方に突出する。フランジ３２とスリーブ３１は一体成形されている。
【００２８】
スリーブ３１の周面の上部には、雄ねじ３１ｅが形成されている。この雄ねじ３１ｅがフランジ３２の下にあり、フランジ３２が雄ネジ３１ｅの上縁から径方向外方に突出する。
【００２９】
シール３３はＯ（オー）リングである。つまり、シール３３はリング状に形作られたゴム弾性体からなる。
締結ナット３４がリング状に設けられ、締結ナット３４の内周面に雌ネジが形成されている。
【００３０】
シール３３は締結ナット３４によってフランジ３２に押し付けられている。つまり、シール３３にスリーブ３１の上部が挿入されて、その締結ナット３４がスリーブ３１の雄ネジ３１ｅにネジ締めされ、シール３３がフランジ３２と締結ナット３４の間に挟持されている。
【００３１】
ここで、シート本体２０には、通し孔２１が形成されている。この通し孔２１が円形の穴であり、通し孔２１の直径が締結ナット３４及びシール３３の内直径に等しい。スリーブ３１がシート本体２０の表側から通し孔２１に差し込まれ、フランジ３２が通し孔２１の周囲でシート本体２０の表側に引っ掛かっている。そして、シート本体２０がシール３３とフランジ３２との間に挟まれた状態で、締結ナット３４がフランジ３２に締め付けられている。
【００３２】
ドレイン付き養生シート１０の製造方法について説明する。
まず、シート本体２０及びドレイン装置３０を準備する。
次に、ドレイン装置３０を分解する。つまり、締結ナット３４を緩めて、締結ナット３４をスリーブ３１から外し、更にシール３３からスリーブ３１を抜く。
次に、シート本体２０のうち少なくともドレイン装置３０の取り付け部分を広げて、その部分の上にシール３３又は締結ナット３４を載せる。そして、ペン等によってシール３３又は締結ナット３４の内縁をなぞって、シール３３又は締結ナット３４の内縁に沿った切り取り線をシート本体２０に印す。
次に、切り取り線に沿ってシート本体２０を切断することによって、シート本体２０に通し孔２１を形成する。
次に、スリーブ３１の下端をシート本体２０の表側から通し孔２１に差して、スリーブ３１を通し孔２１に差し込み、通し孔２１の周囲のシート本体２０にフランジ３２を接触させる。
次に、シート本体２０の裏側においてスリーブ３１をシール３３に嵌め込み、通し孔２１の周囲のシート本体２０をシール３３とフランジ３２との間に挟み込む。
次に、シート本体２０の裏側においてスリーブ３１を締結ナット３４に挿入し、締結ナット３４をスリーブ３１の雄ネジ３１ｅにネジ締めする。こうして、シート本体２０及びシール３３をフランジ３２と締結ナット３４の間に挟み込む。なお、スリーブ３１をシール３３、通し孔２１の順に差し込み、シール３３と締結ナット３４の間にシート本体２０を挟み込んでもよい。
【００３３】
以上により、ドレイン付き養生シート１０が完成する。なお、複数のドレイン装置３０を同様にしてシート本体２０に取り付けてもよい。
【００３４】
続いて、ドレイン付き養生シート１０の使用方法及び屋根の養生方法について説明する。
シート本体２０を屋根２の上に運んで、シート本体２０の表側を上に向けてシート本体２０を屋根２の上に広げる。この際、シート本体２０の周縁部をパラペット３の外側へはみ出して、屋根２のみならずパラペット３もシート本体２０によって覆う。好ましくは、シート本体２０を張った状態でシート本体２０を屋根２及びパラペット３の表面に沿わせて、シート本体２０のできる限り広い範囲を屋根２及びパラペット３の表面に接触させる。この際、ドレイン装置３０を屋根２の周縁部に位置させて、ドレイン装置３０をパラペット３の内側の下端部近傍に位置させる。例えば、図４に示すように、仮設排水管の端部６，…がパラペット３の内側であって屋根２の四隅に配置されている場合には、４つのドレイン装置３０，…をそれぞれ端部６，…の上に位置させる。仮設排水管は、屋根２の上面の周縁部から地上まで配管されている。
【００３５】
次に、スリーブ３１と仮設排水管の端部６との間に排管３５を介してスリーブ３１を仮設排水管に接続する。つまり、排管３５の下端に仮設排水管の端部６をバンド材等によって接続する。なお、仮設排水管ではなく、建物１に本設置される排水管（雨樋）を排管３５の下端に接続してもよい。
【００３６】
以上のようなドレイン付き養生シート１０を利用すると、次のような作用効果をもたらす。
（１）  シート本体２０の上に雨水等が溜まることを防止することができる。つまり、シート本体２０の上に降った雨水等はスリーブ３１及び排管３５を通って排水される。
【００３７】
（２）  雨水等にゴミが混じっていても、ゴミがゴミ受け３１ｆによって止められる。そのため、排管３５及び排水管の目詰まりを防止することができる。
【００３８】
（３）  通し孔２１の周囲のシート本体２０が締結ナット３４とフランジ３２との間に挟まれているため、スリーブ３１の周面と通し孔２１の縁との間の隙間を止水することができる。特に、シート本体２０のみならずシール３３も締結ナット３４とフランジ３２との間に挟まれているので、止水性能が高い。
【００３９】
（４）  通し孔２１の周囲のシート本体２０が締結ナット３４とフランジ３２との間に挟まれているため、亀裂等が通し孔２１の縁からシート本体２０に生じることを防止することができる。
【００４０】
（５）  フランジ３２がスリーブ３１の周面の上縁に設けられているため、フランジ３２の厚み分のみしかシート本体２０の表側から突出していない。そのため、フランジ３２の周囲に溜まる水の量が僅かである。
【００４１】
（６）  ドレイン装置３０を簡単にシート本体２０に取り付けることができるとともに、ドレイン装置３０の取り外しも簡単である。
【００４２】
（７）  シール３３又は締結ナット３４を利用して切り取り線をシート本体２０に印すだけで、通し孔２１の直径を設定することができる。
【００４３】
（８）  養生シート１０を屋根２の上に設置すると、シート本体２０がパラペット３及び屋根２の表面に沿っている。そのため、シート本体２０の上の水は排水管の端部６，…に流れやすい。スリーブ３１が排管３５を介して排水管６，…の端部に接続されているため、シート本体２０の上の雨水等がスリーブ３１、排管３５及び排水管を通って排水される。
【００４４】
〔変形例〕
上記実施形態の変形例について説明する。以下では、上記実施形態から変更した点について説明し、上記実施形態と変形例の共通点の説明は省略する。また、上記実施形態と変形例の共通点には同一の符号を付す。また、次の各変形例に挙げる変更箇所を可能な限り組み合わせて適用してもよい。
【００４５】
〔変形例１〕
図５に示すように、ドレイン装置３０が支持部材３６を更に有する。この支持部材３６が板状の部材であり、貫通孔がその支持部材３６の一方の面から他方の面に貫通する。そして、シート本体２０の裏側においてスリーブ３１が支持部材３６の貫通孔に通されて、支持部材３６がシート本体２０の裏側に接して、シート本体２０が支持部材３６によって支持されている。支持部材３６の直径がフランジ３２の直径よりも広く、支持部材３６の外縁はフランジ３２の外縁よりも外側に位置する。
【００４６】
支持部材３６は例えば締結ナット３４（図２参照）によってスリーブ３１に固定されている。つまり、締結ナット３４とフランジ３２の間に支持部材３６、シール３３及びシート本体２０が挟まれている。支持部材３６、シール３３及びシート本体２０の積み重ね順は任意である。つまり、締結ナット３４からフランジ３２までの積み重ね順は次の（Ａ）〜（Ｃ）の何れかである。
（Ａ）締結ナット３４、支持部材３６、シール３３、シート本体２０、フランジ３２の順
（Ｂ）締結ナット３４、支持部材３６、シート本体２０、シール３３、フランジ３２の順
（Ｃ）締結ナット３４、シール３３、支持部材３６、シート本体２０、フランジ３２の順
【００４７】
支持部材３６とスリーブ３１の固定は締結ナット３４以外の固定具を用いてもよい。その固定具による支持部材３６とスリーブ３１の固定は解除可能であり、その固定が解除されると、支持部材３６をスリーブ３１から取り外すことができる。
【００４８】
支持部材３６を用いたドレイン付き養生シート１０の製造方法では、上記実施形態で説明した工程に、スリーブ３１を支持部材３６の貫通孔に差し込む工程が追加される。その工程は、シート本体２０に通し孔２１を形成する工程の後であって、締結ナット３４をスリーブ３１の雄ネジ３１ｅにネジ締めする工程の前に行う。スリーブ３１を差し込む順は上記（Ａ）〜（Ｃ）に応じて行う。
【００４９】
支持部材３６によってシート本体２０が支持されるため、フランジ３２の周囲に水が溜まって、シート本体２０が撓んで下に沈み込むことを防止することができる。
【００５０】
〔変形例２〕
上記実施形態では、ドレイン付き養生シート１０を屋根２及びパラペット３の上に被せたが、他の物をドレイン付き養生シート１０によって覆ってもよい。例えば、基礎（例えば、布基礎又はベタ基礎）の上にドレイン付き養生シート１０のシート本体２０を被せて、シート本体２０を基礎の表面に沿わせてシート本体２０を基礎の表面に張り付ける。
【符号の説明】
【００５１】
１  建物
２  屋根
３  パラペット（立壁部）
１０  ドレイン付き養生シート
２０  シート本体
２１  通し孔
３０  ドレイン装置
３１  スリーブ
３２  フランジ
３３  シール
３４  締結ナット
【図１】
2016061081.tif 000003
【図２】
2016061081.tif 000004
【図３】
2016061081.tif 000005
【図４】
2016061081.tif 000006
【図５】
2016061081.tif 000007